(57)【特許請求の範囲】
【請求項１】
左右一対の縦材と両縦材の上端部をつなぐ横材とからなる建枠の前後に対向する両横材間に足場板を架け渡すと共に両縦材間に交差筋違を掛張して組み立てられる枠組足場に使用される安全手摺であって、両建枠の前後に対向する両縦材間に配置される矩形枠状の手摺本体と、手摺本体の両側端部に設けられ、手摺本体を建枠の縦材に沿って案内するガイド手段と、手摺本体を所定位置で枠組足場に固定する固定手段とからなり、
ガイド手段は、常に建枠の縦材に接するように設けられたローラー案内部と、手摺本体の側端部に上下方向に並設した複数のバネで支持された抱持金具が縦材を抱持すると共に、建枠の横材を通過する時は抱持金具の一部がバネに抗して横材を避けるように後退する抱持案内部とからなり、
固定手段は、手摺本体の上部側で幅方向中央部位に上端部が枢着されて、常時は手摺本体と面一状に垂下された状態とされる支持杆と、支持杆の下端側に設けられて、交差筋違の交差部にその上方より掛止される掛止部材とからなることを特徴とする安全手摺。
【請求項２】
前記抱持案内部は、建枠の縦材を抱持するように背板と両側板とで断面略コ字状に形成された抱持金具と、抱持金具の背板と手摺本体の側端部との間に並設された上中下の３つの圧縮バネとからなるもので、真ん中の圧縮バネはその上下両側のバネよりも強いバネ力を有することを特徴とする請求項１に記載の安全手摺。
【請求項３】
前記掛止部材の下方に位置する前記支持杆の下端部位には、この支持杆を、掛止部材が交差筋違の交差部に掛止される位置と、その交差部から手摺本体の外側へ離脱した位置との間の所定ストロークを内外方向に揺動可能に案内するための案内部材が設けられ、手摺本体の下端中央部には、掛止部材が交差筋違の交差部に掛止される位置に前記支持杆を保持するように付勢するバネが設けられていることを特徴とする請求項１又は２に記載の安全手摺。
【発明の詳細な説明】
【０００１】
【発明の属する技術分野】
本発明は、建設作業現場において、左右一対の縦材と両縦材の上端部をつなぐ横材とからなる前後一対の建枠の前後に対向する両横材間に足場板を架け渡すと共に両縦材間に交差筋違を掛張して組み立てられる枠組足場に使用される安全手摺に関する。
【０００２】
【従来の技術】
枠組足場は、左右一対の縦材と両縦材の上端部をつなぐ横材とからなる門形の建枠を前後に一定間隔おきに対向配置して、両建枠の対向する両縦材間に交差筋違を掛張し、両横材間に足場板を架け渡しながら、建枠を上方に継ぎ足して、順次多段状に足場を組み立ててゆくわけであるが、下段側建枠の横材間に足場板を架け渡した後、建枠を継ぎ足して上段側足場を組み立てる際には、その組立作業に先行して作業用の安全手摺を設置し、足場組立作業の安全を図るようにしている。
【０００３】
【発明が解決しようとする課題】
従来にあっては、予め所要形状に枠組み形成された安全手摺を、下段側建枠の縦材にパイプクランプによって取り付け、上段側足場の組立が終われば、その安全手摺を取り外し、更にその上の段の建枠の縦材に付け換えるようにしている。しかしながら、従来の安全手摺は、各段の足場を組み立てる毎に安全手摺を建枠から完全に切り離して付け替えを行う必要があるため、その付け替え作業に非常に手間がかかって、足場の組立作業能率が低下する上に、安全手摺の付け替え時にその安全手摺を落下させる危険性があった。
【０００４】
本発明は、上記の問題に鑑み、各段の足場への設置作業を迅速容易に且つ安全に行える安全手摺を提供することを目的とする。
【０００５】
【課題を解決するための手段】
請求項１に係る発明の安全手摺は、左右一対の縦材１と両縦材１，１の上端部をつなぐ横材２とからなる建枠４の前後に対向する両横材２，２間に足場板６を架け渡すと共に両縦材１，１間に交差筋違５を掛張して組み立てられる枠組足場に使用される安全手摺であって、両建枠４，４の前後に対向する両縦材１，１間に配置される矩形枠状の手摺本体７と、手摺本体７の両側端部に夫々設けられ、手摺本体７を建枠４の縦材１に沿って案内するガイド手段８と、手摺本体７を所定位置で枠組足場に固定する固定手段９とからなり、ガイド手段８は、常に建枠４の縦材１に接するように設けられたローラー案内部１０と、手摺本体７の側端部に上下方向に並設した複数のバネ２６，２７で支持された抱持金具２３が縦材１を抱持すると共に、建枠４の横材２を通過する時は抱持金具２３の一部がバネ２６，２７に抗して横材２を避けるように後退する抱持案内部１２とからなり、固定手段９は、手摺本体７の上部側で幅方向中央部位に上端部が枢着されて、常時は手摺本体７と面一状に垂下された状態とされる支持杆２８と、支持杆２８の下端側に設けられて、交差筋違５の交差部５ｏにその上方より掛止される掛止部材２９とからなることを特徴とする。
【０００６】
請求項２は、請求項１記載の安全手摺において、前記抱持案内部１２は、建枠４の縦材１を抱持するように背板２１と両側板２２，２２とで断面略コ字状に形成された抱持金具２３と、抱持金具２３の背板２１と手摺本体７の側端部との間に並設された上中下の３つの圧縮バネ２６，２７，２６とからなるもので、真ん中の圧縮バネ２７はその上下両側のバネ２６よりも強いバネ力を有することを特徴とする。
【０００８】
請求項３は、請求項１又は２に記載の安全手摺において、前記掛止部材２９の下方に位置する前記支持杆２８の下端部位には、この支持杆２８を、掛止部材２９が交差筋違５の交差部５ｏに掛止される位置と、その交差部５ｏから手摺本体７の外側へ離脱した位置との間の所定ストロークを内外方向に揺動可能に案内するための案内部材３３が設けられ、手摺本体７の下端中央部には、掛止部材２９が交差筋違５の交差部５ｏに掛止される位置に前記支持杆２８を保持するように付勢するバネ３４が設けられていることを特徴とする。
【０００９】
【発明の実施の形態】
以下に、本発明に係る安全手摺の一実施形態について、図１〜図１４を参照しながら説明する。先ず、図１は、図１２〜図１４に斜視図で概略示される安全手摺Ｔの正面図、図２の（Ａ）は同安全手摺Ｔの側面図、（Ｂ）は平面図である。この安全手摺Ｔの各部の詳細構造を図３〜図６に示す。
【００１０】
この安全手摺Ｔは、両建枠４，４の相対向する両縦材１，１間に配置される矩形枠状の手摺本体７と、この手摺本体７の両側端部に夫々設けられていて、手摺本体７を建枠４の縦材１に沿って案内するガイド手段８と、手摺本体７を所定位置で枠組足場の所要部に固定する固定手段９とから構成され、ガイド手段８は、常に建枠４の縦材１に接するように設けられたローラー案内部１０と、手摺本体７の側端部に上下方向に並設した３つ１組のバネ２６，２７，２６によって支持された抱持金具２３が縦材１を抱持すると共に、建枠４の横材２を通過する時は抱持金具２３の一部が前記バネに抗して横材２を避けるように後退する抱持案内部１２と、からなるものである。
【００１１】
上記安全手摺Ｔの構造について更に詳しく説明すると、先ず、手摺本体７は、図１に示すように、上下横枠１３，１４及び左右縦枠１５，１５からなる矩形状の周枠１６と、上横桟１７と、左右中桟１８，１８とによって矩形枠状に形成されている。尚、建枠４は、図１２以降に示すように、左右一対の縦材１，１と両縦材１，１の上端部をつなぐ横材２と、補強枠３とからなるものである。
【００１２】
ガイド手段８のローラー案内部１０は、図１に概略示すように、周枠１６を形成する各縦枠１５の下半部側に３箇所設けてあって、各ローラー案内部１０は、図３の（Ａ）〜（Ｃ）から分かるように、ローラー２０を軸支したローラー取付部材１９を縦枠１５に取り付けて、そのローラー２０が建枠４の縦材１に常時転接するように装備したものである。
【００１３】
またガイド手段８の抱持案内部１２は、図１に示すように、周枠１６の各縦枠１５に設けてある上段側と中段側のローラー案内部１０，１０の間、及び下段側ローラー案内部１０の下方に夫々設けられている。各抱持案内部１２は、図４の（Ａ）〜（Ｃ）から分かるように、建枠４の縦材１を抱持するように背板２１と両側板２２，２２とで断面略コ字状に形成された抱持金具２３と、この抱持金具２３の背板２１と手摺本体周枠１６の縦枠１５との間に並設された上中下の３つの圧縮バネ２６，２７，２６と、から構成される。各側板２２は、図４の（Ａ）に示すように、その上下両端縁部ａ，ｂが互いに略逆向きのテーパ状に形成され、その中間部ｃが丸く形成されていて、建枠４の横材２を通過する時、その横材２をスムーズに乗り越えることができるようになっている。
【００１４】
上記抱持金具２３は、手摺本体周枠１６の縦枠１５にコ字形取付部材２４を介して取り付けられた上中下３本のボルト２５，２５，２５に挿通支持されていて、この抱持金具２３の背板２１と取付部材２４との間で３本のボルト２５，２５，２５に夫々嵌装された圧縮コイルバネ２６，２７，２６によって夫々ボルト２５の頭部２５ａに押し付けられた状態に付勢されている。図４の（Ｃ）には、抱持金具２３の背板２１の上中下３箇所に設けられたボルト挿通孔（長孔）を夫々３９で示す。上中下３本のボルト２５，２５，２５に嵌装された圧縮コイルバネ２６，２７，２６の内、真ん中のボルト２５に嵌装された圧縮コイルバネ２７は、上下両側の各バネ２６よりも強いバネ力を有するものとなっている。
【００１５】
手摺本体７を所定位置で枠組足場の所要部に固定するための固定手段９は、図１に概略示すように、手摺本体７の周枠１６を形成する上横桟１７の中央部位に上端部が枢着されて、常時は手摺本体７と面一状に垂下された状態とされる支持杆２８と、この支持杆２８の下端側に設けられていて、一対の斜材５ａ，５ａがＸ状に交差する交差筋違５の交差部５ｏにその上方より掛止されるコ字形金具よりなる掛止部材２９とによって構成される。
【００１６】
図５の（Ａ）〜（Ｃ）は、図１の矢印ハで囲まれた部分、即ち支持杆２８上端の枢着構造を拡大図示したもので、支持杆２８上端に横向きＵ字状の回転金具３０を固着し、このＵ字状の回転金具３０を周枠１６の上横桟１７に嵌め入れて、その開口部を塞ぐようにボルト３１を螺装すると共に、回転金具３０を上横桟１７の中央部位に保持するストッパー３２を上横桟１７に取り付け、これにより支持杆２８を上横桟１７の中央部位から垂下した状態でその上端枢着部を中心に図５の（Ｃ）に示す矢印方向に揺動できるようにしている。
【００１７】
図６の（Ａ）〜（Ｃ）は、図１の矢印ニで囲まれた部分を拡大図示したもので、この図から分かるように、前記掛止部材２９は、コ字形金具をその開口部を下向きにして支持杆２８内側面の下端所要部に固着することによって形成される。また、図６及び図９に示すように、掛止部材２９の下方に位置する支持杆２８の下端部位には、この支持杆２８を、前記掛止部材２９が交差筋違５の交差部５ｏに掛止される位置（図９の（Ａ）及び（Ａ）′参照）と、その交差部５ｏから手摺本体７の外側へ離脱した位置（図９の（Ｂ）及び（Ｂ）′参照）との間の所定ストロークを内外方向に揺動可能に案内するための案内部材３３が設けられ、また手摺本体７の下端中央部、即ち周枠１６の下横枠１４中央部には、掛止部材２９が交差筋違５の交差部５ｏに掛止される位置に支持杆２８を保持するように付勢するための引張コイルバネ３４が設けられている。
【００１８】
上記案内部材３３は、図６及び図９に示すように、支持杆２８の下端部位に固着したコ字形金具３５を周枠１６の下横枠１４に嵌め込んで、コ字形金具３５の開口部を塞ぐようにボルト３７を螺装すると共に、コ字形金具３５を下横枠１４の中央部位に保持するストッパー３６を下横枠１４に取り付けてなるもので、図９の（Ａ）及び（Ａ）′に示すように掛止部材２９が交差筋違５の交差部５ｏに掛止される位置ではボルト３７が手摺本体７側の下横枠１４外側面に当たり、また図９の（Ｂ）及び（Ｂ）′に示すように掛止部材２９が交差筋違５の交差部５ｏから手摺本体７の外側へ離脱した位置ではコ字形金具３５の底辺部３５ａが手摺本体７側の下横枠１４内側面に当たり、これによって支持杆２８を上記両位置間の所定ストロークを揺動可能に案内する。そして、上記ボルト３７を跨ぐように下横枠１４に沿って張設された引張コイルバネ３４によって、支持杆２８は、掛止部材２９が交差筋違５の交差部５ｏに掛止される位置に自動復帰し得るように付勢されている。尚、引張コイルバネ３４の両端部は、ボルト３８で下横枠１４に止着されている。
【００１９】
次に、上記ように構成される安全手摺Ｔを使用して枠組足場を組み立てる組立方法について、図１２〜図１４を中心に他の図面も適宜に参照して説明する。
【００２０】
先ず、図１２の左側に示すように、一対の建枠４，４を前後に対向配置して、両建枠４，４の対向する縦材１，１間に交差筋違５を掛張し、両横材２，２間に足場板６を架け渡すことによって、１段目の足場を組み立てる。しかして、この１段目の足場に安全手摺Ｔを図１２の右側に示すように設置する。尚、図１２〜図１４には、図面の表示が複雑となる関係上、安全手摺Ｔを各段の足場の手前側にのみ設置した状態を示しているが、実際には足場の奥側にも同様に安全手摺Ｔを設置する。
【００２１】
この安全手摺Ｔの設置にあたっては、手摺本体７を両建枠４，４の両縦材１，１間にその上方より挿入して、各ガイド手段８のローラー案内部１０を縦材１に当接支持させると共に、抱持案内部１２の抱持金具２３を縦材１に抱持させる。抱持案内部１２の抱持金具２３を縦材１に抱持させるには、この抱持金具２３を、圧縮コイルバネ２６，２７，２６の付勢力に抗して縦材１から後退するように押さえ付けるようにすればよい。
【００２２】
また、固定手段９の掛止部材２９を交差筋違５の交差部５ｏに掛止して手摺本体７を固定する際には、手摺本体７の下端が掛止部材２９が交差筋違５の交差部５ｏよりも上位にある位置から手摺本体７を両建枠４の縦材１，１に沿って下方へスライドさせるようにするが、そのまま下方へスライドさせると、支持杆２８下端部の案内部材３３が交差筋違５の交差部５ｏに当たるから、その案内部材３３が交差部５ｏに当たる手前で支持杆２８の下端部側を引張コイルバネ３４に抗して外方へ押し出すようにして、支持杆２８下端部の案内部材３３を一旦交差筋違５の交差部５ｏの外側へ逃がした後、手摺本体７を下方へスライドさせることによって、掛止部材２９を交差筋違５の交差部５ｏに掛止させ、手摺本体７を固定することができる。
【００２３】
こうして１段目足場に安全手摺Ｔを設置することによって、２段目足場の組立作業、即ち１段目足場の建枠４に２段目の建枠４を継ぎ足す作業、この継ぎ足した建枠４，４の縦材１，１間に交差筋違５を掛張する作業、及び横材２，２間に足場板６を架け渡す作業を安全に行うことができる。
【００２４】
２段目足場の組立作業を終えたならば、作業者は、１段目足場に設置されている安全手摺Ｔの手摺本体７を、この１段目足場の足場板６上において２段目足場の方へ引き上げるわけであるが、その手摺本体７をそのまま引き上げたのでは、支持杆２８下端部の案内部材３３が１段目足場の交差筋違５の交差部５ｏの下端部に当たって引き上げ出来ないことから、図７の（Ａ），(a) 、（Ｂ），(b) 及び（Ｃ）に示すように、手摺本体７を、交差筋違５の交差部５ｏに掛止されている掛止部材２９がその交差部５ｏから抜け出るまで引き上げた後、支持杆２８の下端部側を引張コイルバネ３４に抗して外方へ押し出すようにして、支持杆２８下端部の案内部材３３を一旦交差筋違５の交差部５ｏの外側へ逃がしながら、案内部材３３を交差筋違５の交差部５ｏの上位に持ち来すようにすればよい。図１３は、安全手摺Ｔを１段目足場側から２段目足場側へ引き上げる際に、支持杆２８の下端部側を引張コイルバネ３４に抗して外方へ押し出した状態を示す。
【００２５】
上記のようにして支持杆２８下端部の案内部材３３を１段目足場の交差筋違５の交差部５ｏの上方に持ち来した後、手摺本体７を２段目足場の建枠４，４の縦材１，１に沿って所定高さ位置までスライドさせる。この時も、手摺本体７をそのまま上方へスライドさせると、支持杆２８の下端側にある掛止部材２９が２段目足場の交差筋違５の交差部５ｏの下端部に当たってしまうため、掛止部材２９が交差部５ｏに当たる手前で支持杆２８の下端部側を引張コイルバネ３４に抗して外方へ押し出すようにして、掛止部材２９を一旦交差筋違５の交差部５ｏの外側へ逃がした後、手摺本体７を上方へスライドさせ、その掛止部材２９を交差筋違５の交差部５ｏに掛止させるようにする。図１４は、上記のようにして２段目足場に安全手摺Ｔを設置し終えた状態を示す。
【００２６】
図８は、上記のように安全手摺Ｔを１段目足場側から２段目足場側へ引き上げる際におけるガイド手段８の抱持案内部１２の動作を詳細に示したものである。先ず、同図の▲１▼は、安全手摺Ｔが１段目足場の所定位置に設置されたままで、ガイド手段８の抱持案内部１２が１段目足場の建枠４の横材２よりも下位にある状態を示す。この状態から、手摺本体７を引き上げてゆくと、同図の▲２▼に示すように、縦材１を抱持して先行する抱持金具２３の上部側板２２の上端テーパ部ａに横材２が係合し、それにより抱持金具２３はその上端部側が圧縮コイルバネ２６，２７に抗して後退するように傾転しながら上動する。この際、上中下３つの圧縮コイルバネ２６，２７，２６の内、真ん中のバネ２７のバネ力が他のバネ２６より強いため、抱持金具２３が瞬時に傾転して横材２をスムーズに乗り越えことになる。そして、同図の▲３▼に示すように、抱持金具２３の上部側板２２の中間部ｃが横材２を乗り越える時点では、抱持金具２３の上部側板２２が縦材１から離脱した状態となるけれども、この抱持金具２３の下部側板２２は縦材１を抱持した状態にあるから、安全手摺Ｔの脱落が防止される。
【００２７】
上記のようにして抱持金具２３の上部側板２２が横材２を乗り越えると、図８の▲４▼に示すように、抱持金具２３はコイルバネ２６，２７，２６によって元の状態に復帰し、抱持金具２３の全体で縦材１を抱持する状態となる。引続き、同図の▲５▼及び▲６▼に示すように、抱持金具２３の下部側板２２の上端テーパ部ａに横材２が係合すると、それにより抱持金具２３はその下端部側が圧縮コイルバネ２６，２７に抗して後退するように傾転しながら上動する。そして、同図▲７▼に示すように、抱持金具２３の下部側板２２の中間部ｃが横材２を乗り越える時点では、抱持金具２３の下部側板２２が縦材１から離脱した状態となるが、下部側板２２が縦材１を抱持しているから、上記同様に安全手摺Ｔの脱落が防止される。同図の▲８▼は、抱持金具２３全体が横材２を通り越した状態を示す。
【００２８】
尚、手摺本体７の各側端部の上段側に設けられた先行抱持案内部１２の動作についてのみ説明したが、下段側の後行抱持案内部１２についても、上記した先行抱持案内部１２の動作と同様である。この実施形態のように、抱持案内部１２を手摺本体７の側端部の上段部と下段部との２箇所に設けているから、手摺本体７が両建枠４，４の縦材１，１に沿って極めて安定な状態で移動でき、縦材１から脱落するおそれがなく、移動操作も非常に容易となる。
【００２９】
図１０及び図１１は、上記のように安全手摺Ｔを１段目足場側から２段目足場側へ引き上げる際におけるガイド手段８のローラー案内部１０の動作を詳細に示したもので、図１０の（Ａ）はローラー２０が建枠４の縦材１に転接している状態を示す平面図、同図（Ｂ）はその正面図であり、また図１１の（Ａ）はローラー２０が建枠４の横材２を通過する状態を示す平面図、同図（Ｂ）はその正面図である。これらの図から分かるように、ローラー案内部１０のローラー２０は、常に建枠４の縦材１に転動可能に接触した状態に配設されたもので、両建枠４，４の縦材１，１間における安全手摺Ｔの幅を一定に規制しながら手摺本体７の上方（又は下方）へのスライドをスムーズに行わせるようになっている。
【００３０】
このようにローラー案内部１０は、手摺本体７の上方（又は下方）へのスライドを円滑スムーズに行わせるものであるが、これだけでは手摺本体７が両建枠４，４の縦材１，１から脱落するから、この脱落を防止するのが、前記抱持案内部１２である。この抱持案内部１２は、手摺本体７の側端部に上下方向に並設した建枠４の縦材１を抱持するように断面略コ字状に形成された抱持金具２３と、この抱持金具２３と手摺本体周枠１６の縦枠１５との間に並設された上中下の３つの圧縮コイルバネ２６，２７，２６とからなるもので、建枠４の縦材１を常に抱持した状態にあって、建枠の横材を通過する時は抱持金具２３の上端部側又は下端部側が圧縮コイルバネ２６，２７，２６に抗して建枠４の横材２を避けるように傾転して後退し、安全手摺Ｔの脱落を防止するようになっている。特に、上中下３個１組の圧縮コイルバネ２６，２７，２６の内、真ん中のバネ２７のバネ力がその両側にある他のバネ２６より強いため、抱持金具２３が瞬時に傾転して横材２をスムーズに乗り越えことができる。
【００３１】
この実施形態では、抱持金具２３を上中下の３個１組の圧縮コイルバネ２６，２７，２６によって支持させるようにすると共に、その真ん中のバネ２７を他のバネ２６よりバネ力の強いものとしており、これが最も好ましいわけであるが、この抱持金具２３を、同じバネ力の２個の圧縮コイルバネによって支持させるようにしてもよい。
【００３２】
また、前記固定手段９は、手摺本体周枠１６の上横桟１７中央部に上端部が枢着されて、常時は手摺本体７と面一状に垂下された状態とされる支持杆２８と、この支持杆２８の下端側に設けられて、交差筋違５の交差部５ｏにその上方より掛止されるコ字形金具よりなる掛止部材２９とからなるもので、枠組足場での安全手摺Ｔの位置決め部となり、また手摺本体７に水平荷重をかけた時の強度的な補助部分でもあって、安全手摺Ｔの脱落を防止する機能もある。また、この固定手段９は、構造がきわめて簡単で、操作も簡単に行えると共に、手摺本体７を枠組足場の所定位置に確実に固定することができる。
【００３３】
また、この固定手段９では、掛止部材２９の下方に位置する支持杆２８の下端部位に、支持杆２８を、掛止部材２９が交差筋違５の交差部５ｏに掛止される位置と、その交差部５ｏから手摺本体７の外側へ離脱した位置との間の所定ストロークを内外方向に揺動可能に案内するための案内部材３３が設けられると共に、手摺本体７の下端中央部に、掛止部材２９が交差筋違５の交差部５ｏに掛止される位置に支持杆２８を保持するように付勢する引張バネ３４が設けてあるから、安全手摺Ｔを下段足場側から上段足場側へ引き上げたり、また上段足場側から下段足場側へ下降させる際に、支持杆２８を掴んでいる手を不意に放した場合においても、案内部材３３が引張バネ３４により元の位置（掛止部材２９が交差筋違５の交差部５ｏに掛止される位置）に自動復帰して交差筋違５に引っ掛かるため、安全手摺Ｔの落下を防止し、作業の安全性を確保できる。また案内部材３３は、安全手摺設置時において、安全手摺Ｔが風圧で吹き上がるのを防止する機能もある。
【００３４】
以上の実施形態では、安全手摺Ｔを２段目足場に設置する場合について説明したが、この安全手摺Ｔを３段目以上の足場に設置する場合についても上記同様な方法によって行うことができる。また、上述の実施形態では、この安全手摺Ｔを使用して枠組足場を組み立てる場合について説明したが、多段状に組み立てた枠組足場を分解撤去する場合も、この安全手摺Ｔを使用し、前述した足場組立の順序の逆の順序で安全手摺Ｔを下方向にスライドさせるようにすることによって、枠組足場の分解作業を迅速容易にして安全に行うことができる。
【００３５】
【発明の効果】
請求項１に係る発明の安全手摺は、両建枠の対向する縦材間に配置される矩形枠状の手摺本体と、手摺本体の両側端部に設けられ、手摺本体を建枠の縦材に沿って案内するガイド手段と、手摺本体を所定位置で枠組足場に固定する固定手段とからなるもので、そのガイド手段は、常に建枠の縦材に接するように設けられたローラー案内部と、上下方向に並設した複数のバネで支持された抱持金具が縦材を抱持すると共に、横材を通過する時は抱持金具の一部がバネに抗して横材を避けるように後退する抱持案内部と、からなるため、この安全手摺を下段側足場に一度設置すれば、その後は、この下段側足場に設置した安全手摺を上段側足場の組立に先行して順次上方へスライドさせればよく、従って各段の足場への安全手摺の設置作業を迅速容易に且つ安全に行えて、枠組足場の組立作業を能率良く行うことができる。また、多段状に組み立てた枠組足場を分解撤去する場合も、この安全手摺を下方向へ順次スライドさせることによって、枠組足場の分解撤去作業を迅速容易にして安全に行うことができる。
【００３６】
上記ガイド手段のローラー案内部は、常に建枠の縦材に接して、安全手摺の上方又は下方へのスライドを円滑スムーズに行わせことができる。また、ガイド手段の抱持案内部は、複数のバネで支持された抱持金具が縦材を抱持すると共に、横材を通過する時は抱持金具の一部がバネに抗して横材を避けるように後退するものであるから、手摺本体の上下スライド時に横材を乗り越えることができ、また抱持金具の一部が常に縦材を抱持した状態にあるため、安全手摺の設置時及び上下スライド時おける安全手摺の脱落を防止できる。
また上記固定手段は、手摺本体の上部側で幅方向中央部位に上端部が枢着されて、常時は手摺本体と面一状に垂下された状態とされる支持杆と、支持杆の下端側に設けられ、交差筋違の交差部にその上方より掛止される掛止部材とからなるもので、構造がきわめて簡単で、操作も簡単に行えると共に、手摺本体を枠組足場の所定位置に確実に固定することができる。また、この固定手段は、枠組足場での安全手摺の位置決め部となり、また手摺本体に水平荷重をかけた時の強度的な補助部分でもあって、安全手摺の脱落を防止する機能も有する。
【００３７】
請求項２に係る発明によれば、抱持案内部は、建枠の縦材を抱持するように断面略コ字状に形成された抱持金具と、抱持金具の背板と手摺本体の側端部との間に並設された上中下の３つの圧縮バネとからなるもので、真ん中の圧縮バネはその上下両側のバネよりも強いバネ力を有するから、手摺本体が縦材に沿って上下にスライドする時に、抱持金具の上端側又は下端側がその真ん中の圧縮バネ部分を中心に瞬時に傾転して横材をスムーズに乗り越えことができる。
【００３９】
請求項３に係る発明によれば、掛止部材の下方に位置する支持杆の下端部位に、支持杆を、掛止部材が交差筋違の交差部に掛止される位置と、その交差部から手摺本体の外側へ離脱した位置との間の所定ストロークを内外方向に揺動可能に案内するための案内部材が設けられると共に、手摺本体の下端中央部に、掛止部材が交差筋違の交差部に掛止される位置に支持杆を保持するように付勢する引張バネが設けてあるから、安全手摺を下段足場側から上段足場側へ引き上げたり、また上段足場側から下段足場側へ下降させる際に、支持杆を掴んでいる手を不意に放した場合においても、案内部材が引張バネにより元の位置（掛止部材が交差筋違の交差部に掛止される位置）に自動復帰して交差筋違に引っ掛かるので、安全手摺の落下を防止し、作業の安全性を確保できる。また案内部材は、安全手摺設置時において、安全手摺が風圧で吹き上がるのを防止する機能も有する。
【図面の簡単な説明】
【図１】  図１２〜図１４に斜視図で示される本発明の安全手摺の正面図で
ある。
【図２】  （Ａ）は同安全手摺の側面図、（Ｂ）は平面図である。
【図３】  （Ａ）は図１の矢印イで囲まれた部分の拡大正面図、（Ｂ）は同部分の平面図、（Ｃ）は同部分の側面図である。
【図４】  （Ａ）は図１の矢印ロで囲まれた部分の拡大正面図、（Ｂ）は同部分の平面図、（Ｃ）は同部分の側面図である。
【図５】  （Ａ）は図１の矢印ハで囲まれた部分の拡大正面図、（Ｂ）は同部分の平面図、（Ｃ）は同部分の側面図である。
【図６】  （Ａ）は図１の矢印ニで囲まれた部分の拡大正面図、（Ｂ）は同部分の底面図、（Ｃ）は同部分の側面図である。
【図７】  固定手段の動作を示しもので、（Ａ）は固定手段の掛止部材が交差筋違の交差部に掛止した状態を示す正面図、(a) はその側面図、（Ｂ）は支持杆を若干引き上げて、掛止部材を交差部から真上に離脱させた状態の正面図、(b) はその側面図、（Ｃ）は掛止部材が交差筋違の交差部の外側へ離脱したた状態の側面図である。
【図８】  ▲１▼〜▲８▼は安全手摺を１段目足場側から２段目足場側へ引き上げる際におけるガイド手段の抱持案内部の動作を詳細に説明する説明図である。
【図９】  （Ａ）は図７の(a) の矢印ホで囲まれた部分の拡大図、（Ａ）′は図７の(a) の矢印ヘで囲まれた部分の拡大図、（Ｂ）は図７の（Ｃ）の矢印トで囲まれた部分の拡大図、（Ｂ）′は図７の（Ｃ）の矢印チで囲まれた部分の拡大図である。
【図１０】  （Ａ）はローラーが建枠の縦材に転接している状態を示す平面図、（Ｂ）はその正面図である。
【図１１】  （Ａ）はローラーが建枠の横材を通過する状態を示す平面図、（Ｂ）はその正面図である。
【図１２】  １段目足場に安全手摺を設置する状態を示す斜視図である。
【図１３】  安全手摺を１段目足場側から２段目足場側へ引き上げる際に、支持杆の下端部側をバネに抗し外方へ押し出した状態を示す斜視図である。
【図１４】  ２段目足場側に安全手摺を設置し終えた状態を示す斜視図である。
【符号の説明】
１          建枠の縦材
２          建枠の横材
４          建枠
５          交差筋違
５ａ        交差筋違の斜材
５ｏ        交差筋違の交差部
Ｔ          安全手摺
７          安全手摺の手摺本体
８          ガイド手段
９          固定手段
１０        ガイド手段のローラー案内部
１２        ガイド手段の抱持案内部
２１        背板
２２        側板
２３        抱持金具
２６，２７  圧縮コイルバネ
２８        支持杆
２９        固定手段の掛止部材
３３        案内部材
３４        引張コイルバネ
【図１】
0003694658.tif 000002
【図２】
0003694658.tif 000003
【図３】
0003694658.tif 000004
【図４】
0003694658.tif 000005
【図５】
0003694658.tif 000006
【図６】
0003694658.tif 000007
【図７】
0003694658.tif 000008
【図８】
0003694658.tif 000009
【図９】
0003694658.tif 000010
【図１０】
0003694658.tif 000011
【図１１】
0003694658.tif 000012
【図１２】
0003694658.tif 000013
【図１３】
0003694658.tif 000014
【図１４】
0003694658.tif 000015